(57)【要約】  ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムは、前記非ＭＢＭＳセルとの接続を確立するユーザ端末を有する。前記ユーザ端末は、前記ＭＢＭＳデータの受信を望むことを示すＭＢＭＳ興味通知を前記非ＭＢＭＳセルに送信する。
2013111905.tif 000002
【特許請求の範囲】
【請求項１】
ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムであって、
前記非ＭＢＭＳセルとの接続を確立するユーザ端末を有し、
前記ユーザ端末は、前記ＭＢＭＳデータの受信を望むことを示すＭＢＭＳ興味通知を前記非ＭＢＭＳセルに送信することを特徴とする移動通信システム。
【請求項２】
前記ＭＢＭＳ興味通知は、前記ユーザ端末がＭＢＭＳデータの受信を望む周波数を示す情報を含むことを特徴とする請求項１に記載の移動通信システム。
【請求項３】
ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムであって、
前記ＭＢＭＳセルとの接続を確立するユーザ端末を有し、
前記ユーザ端末は、前記ＭＢＭＳセルから配信される前記ＭＢＭＳデータの受信を変更する場合に、当該変更に関するＭＢＭＳ興味通知を前記ＭＢＭＳセルに送信することを特徴とする移動通信システム。
【請求項４】
ＭＢＭＳデータのＰＴＭ配信をサポートする移動通信システムであって、
ソース基地局からターゲット基地局へのハンドオーバを行うユーザ端末を有し、
前記ソース基地局は、前記ターゲット基地局に対する前記ユーザ端末のハンドオーバ準備において、前記ユーザ端末が前記ＭＢＭＳデータの受信を望むことを示すＭＢＭＳ興味通知を前記ターゲット基地局に送信することを特徴とする移動通信システム。
【請求項５】
前記ソース基地局は、前記ハンドオーバ準備においてハンドオーバ要求を前記ターゲット基地局に送信する際に、前記ＭＢＭＳ興味通知を前記ハンドオーバ要求に含めることを特徴とする請求項４に記載の移動通信システム。
【請求項６】
ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムにおけるユーザ端末であって、
前記非ＭＢＭＳセルとの接続を確立している場合において、前記ＭＢＭＳデータの受信を望むことを示すＭＢＭＳ興味通知を前記非ＭＢＭＳセルに送信する送信部を有することを特徴とするユーザ端末。
【請求項７】
ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムにおけるユーザ端末であって、
前記ＭＢＭＳセルとの接続を確立している場合において、前記ＭＢＭＳセルから配信される前記ＭＢＭＳデータの受信を変更する場合に、当該変更に関するＭＢＭＳ興味通知を前記ＭＢＭＳセルに送信する送信部を有することを特徴とするユーザ端末。
【請求項８】
移動通信システムにおける基地局であって、
ターゲット基地局に対するユーザ端末のハンドオーバ準備を行う制御部を有し、
前記制御部は、前記ハンドオーバ準備において、前記ユーザ端末がＭＢＭＳデータの受信を望むことを示すＭＢＭＳ興味通知を前記ターゲット基地局に送信することを特徴とする基地局。
【請求項９】
ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムにおけるユーザ端末に備えられるプロセッサであって、
前記非ＭＢＭＳセルとの接続を確立している場合において、前記ＭＢＭＳデータの受信を望むことを示すＭＢＭＳ興味通知を前記非ＭＢＭＳセルに送信するための処理を行うことを特徴とするプロセッサ。
【請求項１０】
ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムにおけるユーザ端末に備えられるプロセッサであって、
前記ＭＢＭＳセルとの接続を確立している場合において、前記ＭＢＭＳセルから配信される前記ＭＢＭＳデータの受信を変更する場合に、当該変更に関するＭＢＭＳ興味通知を前記ＭＢＭＳセルに送信するための処理を行うことを特徴とするプロセッサ。
【請求項１１】
基地局に備えられるプロセッサであって、
ターゲット基地局に対するユーザ端末のハンドオーバ準備において、前記ユーザ端末がＭＢＭＳデータの受信を望むことを示すＭＢＭＳ興味通知を前記ターゲット基地局に送信するための処理を行うことを特徴とするプロセッサ。
【発明の詳細な説明】
【技術分野】
【０００１】
本発明は、ＭＢＭＳデータのＰＴＭ配信をサポートする一般セルと、ＭＢＭＳデータのＰＴＭ配信をサポートしない特定セルと、を含む移動通信システムにおける通信制御方法及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）を高度化したｅＭＢＭＳ（ｅｖｏｌｖｅｄ  ＭＢＭＳ）の標準化が進められている（例えば、非特許文献１参照）。【０００３】
このような移動通信システムにおいて、一般セル（例えば、マクロセル）は、ＭＢＭＳをサポートしており、ＭＢＭＳデータをマルチキャスト（Ｐｏｉｎｔ−Ｔｏ−Ｍｕｌｔｉｐｏｉｎｔ：ＰＴＭ）で配信できるＭＢＭＳセルである。これに対し、ＭＢＭＳをサポートしていない特定セル（例えば、ＣＳＧセル）は、ＭＢＭＳデータをＰＴＭで配信できない非ＭＢＭＳセルである。【０００４】
なお、「セル」は、無線通信エリアの最小単位を示す用語として使用される他に、ユーザ端末との無線通信を行う機能を示す用語としても使用されることに留意すべきである。
【先行技術文献】
【非特許文献】
【０００５】
【非特許文献１】３ＧＰＰ寄書  ＲＰ−１１１３７４， ２０１１年９月
【発明の概要】
【０００６】
一般セル内に、当該一般セルとは異なる周波数で運用される特定セルが設けられる通信環境において、当該一般セルと当該特定セルとの重複部分に位置するユーザ端末が、当該特定セルとの接続を確立している状況を想定する。
【０００７】
このような状況下で、一般セルから新たに配信開始されるＭＢＭＳデータをユーザ端末が特定セルに位置したまま受信しようとする場合、現状の仕様では、ユーザ端末が特定セルに位置したまま、当該ＭＢＭＳデータを当該ユーザ端末が受信することが難しい。
【０００８】
そこで、本発明は、ユーザ端末がＭＢＭＳデータを適切に受信できる通信制御方法及びユーザ端末を提供することを目的とする。
【０００９】
第１の特徴に係る移動通信システムは、ＭＢＭＳデータのＰＴＭ配信をサポートするＭＢＭＳセルと、前記ＭＢＭＳデータのＰＴＭ配信をサポートしない非ＭＢＭＳセルと、を含む。前記移動通信システムは、前記非ＭＢＭＳセルとの接続を確立するユーザ端末を有する。前記ユーザ端末は、前記ＭＢＭＳデータの受信を望むことを示すＭＢＭＳ興味通知を前記非ＭＢＭＳセルに送信する。
【００１０】
第２の特徴に係る移動通信システムは、ＭＢＭＳデータのＰＴＭ配信をサポートするＭＢＭＳセルと、前記ＭＢＭＳデータのＰＴＭ配信をサポートしない非ＭＢＭＳセルと、を含む。前記移動通信システムは、前記ＭＢＭＳセルとの接続を確立するユーザ端末を有する。前記ユーザ端末は、前記ＭＢＭＳセルから配信される前記ＭＢＭＳデータの受信を変更する場合に、当該変更に関するＭＢＭＳ興味通知を前記ＭＢＭＳセルに送信する。
【００１１】
第３の特徴に係る移動通信システムは、ＭＢＭＳデータのＰＴＭ配信をサポートする。前記移動通信システムは、ソース基地局からターゲット基地局へのハンドオーバを行うユーザ端末を有する。前記ソース基地局は、前記ターゲット基地局に対する前記ユーザ端末のハンドオーバ準備において、前記ユーザ端末が前記ＭＢＭＳデータの受信を望むことを示すＭＢＭＳ興味通知を前記ターゲット基地局に送信する。
【図面の簡単な説明】
【００１２】
【図１】本発明の実施形態に係るＬＴＥシステムの構成を示す。
【図２】本発明の実施形態に係るＬＴＥシステムの無線インターフェイスのプロトコルスタックを示す。
【図３】本発明の実施形態に係るＬＴＥシステムで使用される無線フレームの構成を示す。
【図４】本発明の実施形態に係るｅＭＢＭＳ基盤の論理構成を示す。
【図５】本発明の実施形態に係る論理チャネルとトランスポートチャネルと物理チャネルとのマッピングを示す。
【図６】本発明の実施形態に係るｅＮＢのブロック図である。
【図７】本発明の実施形態に係るＵＥのブロック図である。
【図８】本発明の実施形態に係るｅＮＢ及びＵＥの動作環境を示す。
【図９】図９Ａは、ＭＢＭＳ興味通知の具体例１を示し、図９Ｂは、ＭＢＭＳ非興味通知の具体例１を示す。
【図１０】図１０Ａは、ＭＢＭＳ興味通知の具体例２を示し、図１０Ｂは、ＭＢＭＳ非興味通知の具体例２を示す。
【図１１】図８に示す動作環境における動作パターン１を示すシーケンス図である。
【図１２】図８に示す動作環境における動作パターン２を示すシーケンス図である。
【図１３】図８に示す動作環境における動作パターン３を示すシーケンス図である。
【図１４】図８に示す動作環境における動作パターン４を示すシーケンス図である。
【図１５】図８に示す動作環境における動作パターン５を示すシーケンス図である。
【図１６】ＣＳＧセルからマクロセルへのハンドオーバを説明するための図である。
【図１７】マクロセルからＣＳＧセルへのハンドオーバを説明するための図である。
【図１８】本発明の実施形態に係る選択肢１を示すシーケンス図である。
【図１９】本発明の実施形態に係る選択肢２を示すシーケンス図である。
【発明を実施するための形態】
【００１３】
［実施形態の概要］
実施形態に係る移動通信システムは、ＭＢＭＳデータのＰＴＭ配信をサポートするＭＢＭＳセルと、前記ＭＢＭＳデータのＰＴＭ配信をサポートしない非ＭＢＭＳセルと、を含む。前記移動通信システムは、前記非ＭＢＭＳセルとの接続を確立するユーザ端末を有する。前記ユーザ端末は、前記ＭＢＭＳデータの受信を望むことを示すＭＢＭＳ興味通知を前記非ＭＢＭＳセルに送信する。
【００１４】
実施形態では、前記ＭＢＭＳ興味通知は、前記ユーザ端末がＭＢＭＳデータの受信を望む周波数を示す情報を含む。
【００１５】
実施形態係る移動通信システムは、ＭＢＭＳデータのＰＴＭ配信をサポートするＭＢＭＳセルと、前記ＭＢＭＳデータのＰＴＭ配信をサポートしない非ＭＢＭＳセルと、を含む。前記移動通信システムは、前記ＭＢＭＳセルとの接続を確立するユーザ端末を有する。前記ユーザ端末は、前記ＭＢＭＳセルから配信される前記ＭＢＭＳデータの受信を変更する場合に、当該変更に関するＭＢＭＳ興味通知を前記ＭＢＭＳセルに送信する。
【００１６】
実施形態に係る移動通信システムは、ＭＢＭＳデータのＰＴＭ配信をサポートする。前記移動通信システムは、ソース基地局からターゲット基地局へのハンドオーバを行うユーザ端末を有する。前記ソース基地局は、前記ターゲット基地局に対する前記ユーザ端末のハンドオーバ準備において、前記ユーザ端末が前記ＭＢＭＳデータの受信を望むことを示すＭＢＭＳ興味通知を前記ターゲット基地局に送信する。
【００１７】
実施形態では、前記ソース基地局は、前記ハンドオーバ準備においてハンドオーバ要求を前記ターゲット基地局に送信する際に、前記ＭＢＭＳ興味通知を前記ハンドオーバ要求に含める。
【００１８】
実施形態に係るユーザ端末は、ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムにおけるユーザ端末である。前記ユーザ端末は、前記非ＭＢＭＳセルとの接続を確立している場合において、前記ＭＢＭＳデータの受信を望むことを示すＭＢＭＳ興味通知を前記非ＭＢＭＳセルに送信する送信部を有する。
【００１９】
実施形態に係るユーザ端末は、ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムにおけるユーザ端末である。前記ユーザ端末は、前記ＭＢＭＳセルとの接続を確立している場合において、前記ＭＢＭＳセルから配信される前記ＭＢＭＳデータの受信を変更する場合に、当該変更に関するＭＢＭＳ興味通知を前記ＭＢＭＳセルに送信する送信部を有する。
【００２０】
実施形態に係る基地局は、ターゲット基地局に対するユーザ端末のハンドオーバ準備を行う制御部を有する。前記制御部は、前記ハンドオーバ準備において、前記ユーザ端末がＭＢＭＳデータの受信を望むことを示すＭＢＭＳ興味通知を前記ターゲット基地局に送信する。
【００２１】
実施形態に係るプロセッサは、ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムにおけるユーザ端末に備えられる。前記プロセッサは、前記非ＭＢＭＳセルとの接続を確立している場合において、前記ＭＢＭＳデータの受信を望むことを示すＭＢＭＳ興味通知を前記非ＭＢＭＳセルに送信するための処理を行う。
【００２２】
実施形態に係るプロセッサは、ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムにおけるユーザ端末に備えられる。前記プロセッサは、前記ＭＢＭＳセルとの接続を確立している場合において、前記ＭＢＭＳセルから配信される前記ＭＢＭＳデータの受信を変更する場合に、当該変更に関するＭＢＭＳ興味通知を前記ＭＢＭＳセルに送信するための処理を行う。
【００２３】
実施形態に係るプロセッサは、基地局に備えられる。前記プロセッサは、ターゲット基地局に対するユーザ端末のハンドオーバ準備において、前記ユーザ端末がＭＢＭＳデータの受信を望むことを示すＭＢＭＳ興味通知を前記ターゲット基地局に送信するための処理を行う。
【００２４】
実施形態に係る通信制御方法は、ＭＢＭＳデータのＰＴＭ配信をサポートする一般セル（例えば、マクロセル）と、前記ＭＢＭＳデータのＰＴＭ配信をサポートしない特定セル（例えば、ＣＳＧセル）と、を含む移動通信システム（例えば、ＬＴＥシステム）における通信制御方法であって、前記特定セルとの接続を確立しているユーザ端末（ＵＥ）が、前記ＭＢＭＳデータの受信を望む旨のＭＢＭＳ興味通知（例えば、ＭＢＭＳＩｎｔｅｒｅｓｔＩｎｄｉｃａｔｉｏｎ（ｉｎｔｅｒｅｓｔ））を前記特定セルに送信するステップＡを有する。
【００２５】
前記ステップＡにおいて、前記ユーザ端末は、前記ＭＢＭＳ興味通知と共に、前記一般セルの周波数を示す情報又は前記一般セルの識別子のうち少なくとも一方を前記特定セルに送信してもよい。
【００２６】
上述した通信制御方法は、前記ステップＡで送信された前記ＭＢＭＳ興味通知に基づいて、前記特定セルから前記一般セルへのハンドオーバ手順を行うステップＢをさらに有してもよい。
【００２７】
上述した通信制御方法は、前記ステップＢの後に、前記ユーザ端末が、前記一般セルから配信される前記ＭＢＭＳデータの受信をもはや望まない場合に、その旨のＭＢＭＳ非興味通知（例えば、ＭＢＭＳＩｎｔｅｒｅｓｔＩｎｄｉｃａｔｉｏｎ（ｎｏ  ｌｏｎｇｅｒ  ｉｎｔｅｒｅｓｔ））を前記一般セルに送信するステップＣをさらに有してもよい。
【００２８】
前記ステップＢは、前記特定セルが、ネットワークインターフェイス（例えば、Ｓ１インターフェイス及び／又はＸ２インターフェイス）を介してハンドオーバ要求を前記一般セルに送信するステップＢ１を含み、前記ステップＢ１において、前記特定セルは、前記一般セルへのハンドオーバを行う理由（ｈａｎｄｏｖｅｒ  ｒｅａｓｏｎ）を前記一般セルに通知してもよい。
【００２９】
上述した通信制御方法は、前記ステップＢの後に、前記ユーザ端末の近傍に前記特定セルが存在することを示す近傍通知（Ｐｒｏｘｉｍｉｔｙ  ｉｎｄｉｃａｔｉｏｎ）を前記ユーザ端末から前記一般セルに送信するステップＤと、前記ステップＢ１で通知された前記理由が、前記ユーザ端末が前記ＭＢＭＳデータの受信を望むという理由である場合、前記一般セルが、前記ユーザ端末からの前記近傍通知を無視するステップＥと、をさらに有してもよい。
【００３０】
前記ステップＢは、前記ユーザ端末が近傍通知を送信するための近傍通知設定情報（例えば、ｒｅｐｏｒｔＰｒｏｘｉｍｉｔｙＣｏｎｆｉｇ）を前記特定セルから前記ユーザ端末に送信するステップＢ２を含み、前記ステップＢ２において、前記特定セルは、前記近傍通知の対象から除外すべきセルを前記ユーザ端末に通知してもよい。
【００３１】
上述した通信制御方法は、前記ステップＢの後に、前記ユーザ端末が近傍通知を送信するための近傍通知設定情報（例えば、ｒｅｐｏｒｔＰｒｏｘｉｍｉｔｙＣｏｎｆｉｇ）を前記一般セルから前記ユーザ端末に送信するステップＦをさらに含み、前記ステップＦにおいて、前記一般セルは、前記ステップＢ１で通知された前記理由に基づいて、前記近傍通知の対象から除外すべきセルを前記ユーザ端末に通知してもよい。
【００３２】
前記近傍通知の対象から除外すべきセルは、前記特定セルであってもよい。
【００３３】
前記ステップＢは、前記特定セルが、前記ユーザ端末が近傍通知を送信するための近傍通知設定情報（例えば、ｒｅｐｏｒｔＰｒｏｘｉｍｉｔｙＣｏｎｆｉｇ）を前記ユーザ端末に対して送信しないよう制御するステップＢ４を含んでもよい。
【００３４】
上述した通信制御方法は、前記ステップＢの後に、前記一般セルが、前記ステップＢ１で通知された前記理由に基づいて、前記ユーザ端末が近傍通知を送信するための近傍通知設定情報（例えば、ｒｅｐｏｒｔＰｒｏｘｉｍｉｔｙＣｏｎｆｉｇ）を前記ユーザ端末に対して送信しないよう制御するステップＧを含んでもよい。
【００３５】
上述した通信制御方法は、前記ユーザ端末が、前記ＭＢＭＳ興味通知を送信した後に、前記ユーザ端末が近傍通知を送信するための近傍通知設定情報（例えば、ｒｅｐｏｒｔＰｒｏｘｉｍｉｔｙＣｏｎｆｉｇ）を前記特定セル又は前記一般セルから受信した場合、前記特定セルを前記近傍通知の対象から除外するステップＦを含んでもよい。
【００３６】
本発明に係るユーザ端末は、ＭＢＭＳデータのＰＴＭ配信をサポートする一般セルと、前記ＭＢＭＳデータのＰＴＭ配信をサポートしない特定セルと、を含む移動通信システムにおけるユーザ端末であって、前記特定セルとの接続を確立している際に、前記ＭＢＭＳデータの受信を望む旨のＭＢＭＳ興味通知を前記特定セルに送信する送信手段（例えば、無線送受信部２１０及び制御部２４０）を有する。
【００３７】
ＭＢＭＳデータのＰＴＭ配信をサポートする一般セルと、ＭＢＭＳデータのＰＴＭ配信をサポートしない特定セルと、を含む移動通信システムにおける通信制御方法は、特定セルとの接続を確立しているユーザ端末が、ＭＢＭＳデータの受信を望む旨のＭＢＭＳ興味通知を特定セルに送信するステップを有する。これにより、特定セルは、ユーザ端末がＭＢＭＳデータの受信を望むことを把握できるため、当該ユーザ端末に対して特定セルから一般セルへのハンドオーバを行わせることができる。その結果、ユーザ端末は、一般セルから配信されるＭＢＭＳデータを特定セルに位置したまま受信できる。
【００３８】
特定セルから一般セルへのハンドオーバが完了した後においては、一般セルから特定セルへのハンドオーバを防止するよう制御することが好ましい。このような制御を可能にすべく、特定セルは、ネットワークインターフェイスを介してハンドオーバ要求を一般セルに送信する際に、ハンドオーバを行う理由（すなわち、ユーザ端末がＭＢＭＳデータの受信を望むこと）を一般セルに通知することが好ましい。これにより、ユーザ端末は、一般セルから配信されるＭＢＭＳデータを継続的に受信できる。後述する実施形態は、一般セルから特定セルへのハンドオーバを防止するための複数の動作パターンを開示する。
【００３９】
また、ユーザ端末は、特定セルから一般セルへのハンドオーバが完了した後、一般セルから配信されるＭＢＭＳデータの受信をもはや望まない場合に、その旨のＭＢＭＳ非興味通知を一般セルに送信することが好ましい。これにより、一般セルは、ユーザ端末がＭＢＭＳデータの受信をもはや望まないことを把握できるため、当該ユーザ端末が一般セルから特定セルへのハンドオーバ可能な状態にすることができる。
【００４０】
［実施形態］
本実施形態においては、リリース１０以降の３ＧＰＰ規格（すなわち、ＬＴＥ  Ａｄｖａｎｃｅｄ）に基づいて構成される移動通信システム（以下、「ＬＴＥシステム」と称する）を例に説明する。
【００４１】
以下において、（１）ＬＴＥシステムの概要、（２）ＭＢＭＳの概要、（３）ｅＮＢ、ＨｅＮＢ、及びＵＥの構成、（４）ｅＮＢ、ＨｅＮＢ、及びＵＥの動作の順に説明する。
【００４２】
（１）ＬＴＥシステムの概要
図１は、ＬＴＥシステムの構成を示す。図１に示すように、ＬＴＥシステムは、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）と、ＵＥ（Ｕｓｅｒ  Ｅｑｕｉｐｍｅｎｔ）と、ＥＰＣ（Ｅｖｏｌｖｅｄ  Ｐａｃｋｅｔ  Ｃｏｒｅ）と、を有する。
【００４３】
Ｅ−ＵＴＲＡＮは、ｅＮＢ（ｅｖｏｌｖｅｄ  Ｎｏｄｅ−Ｂ）と、ＨｅＮＢ（Ｈｏｍｅ  ｅｖｏｌｖｅｄ  Ｎｏｄｅ−Ｂ）と、ＨｅＮＢ  ＧＷ（Ｈｏｍｅ  ｅｖｏｌｖｅｄ  Ｎｏｄｅ−Ｂ  Ｇａｔｅｗａｙ）と、を含む。
【００４４】
ｅＮＢは、マクロセルを管理しており、マクロセルとの接続（ＲＲＣコネクション）を確立したＵＥとの無線通信を行う。
【００４５】
マクロセルは、ＭＢＭＳをサポートする。詳細には、マクロセルは、ＭＢＭＳデータをＰＴＭ（マルチキャスト）で配信することができる。本実施形態では、マクロセルは一般セル（ＭＢＭＳセル）に相当し、ｅＮＢは一般基地局に相当する。
【００４６】
ＨｅＮＢは、マクロセルよりもカバー範囲が狭いセルであって、アクセス権を有するＵＥのみがアクセス可能なＣＳＧ（Ｃｌｏｓｅｄ  Ｓｕｂｓｃｒｉｂｅｒ  Ｇｒｏｕｐ）セルを管理する。ＨｅＮＢは、ＣＳＧセルとの接続（ＲＲＣコネクション）を確立したＵＥとの無線通信を行う。
【００４７】
ＣＳＧセルは、ＭＢＭＳをサポートしない。詳細には、ＣＳＧセルは、ＭＢＭＳデータをＰＴＭで配信することができない。ただし、ＣＳＧセルは、ＭＢＭＳデータをＰＴＰ（ユニキャスト）で配信することはできる。本実施形態では、ＣＳＧセルは特定セル（非ＭＢＭＳセル）に相当し、ＨｅＮＢは特定基地局に相当する。
【００４８】
また、ｅＮＢ及びＨｅＮＢは、例えば、無線リソース管理（ＲＲＭ）機能と、ユーザデータのルーティング機能と、モビリティ制御及びスケジューリングのための測定制御機能と、を有する。
【００４９】
ＨｅＮＢ  ＧＷは、複数のＨｅＮＢが接続されており、複数のＨｅＮＢを管理する。
【００５０】
ＥＰＣは、ＭＭＥ（Ｍｏｂｉｌｉｔｙ  Ｍａｎａｇｅｍｅｎｔ  Ｅｎｔｉｔｙ）と、Ｓ−ＧＷ（Ｓｅｒｖｉｎｇ−Ｇａｔｅｗａｙ）と、を含む。ＭＭＥは、ＵＥに対する各種モビリティ制御等を行うネットワークエンティティであり、制御局に相当する。Ｓ−ＧＷは、ユーザデータの転送制御を行うネットワークエンティティであり、交換局に相当する。
【００５１】
ｅＮＢ（及びＨｅＮＢ）は、Ｘ２インターフェイスを介して相互に連結される。また、ｅＮＢ（及びＨｅＮＢ）は、Ｓ１インターフェイスを介してＭＭＥ及びＳ−ＧＷ（及びＨｅＮＢ  ＧＷ）と連結される。Ｘ２インターフェイス及び／又はＳ１インターフェイスは、ネットワークインターフェイスを構成する。
【００５２】
ＵＥは、移動型の無線通信装置であり、接続（ＲＲＣコネクション）を確立したセル（サービングセルと称される）との無線通信を行う。本実施形態では、ＵＥはユーザ端末に相当する。
【００５３】
ＵＥは、待ち受け中の状態に相当するアイドル状態（ＲＲＣアイドル状態）において、待ち受けセルを選択し、選択したセルに対する待ち受けを行う。ＲＲＣアイドル状態において待ち受けセルを変更する処理は、セル再選択と称される。
【００５４】
また、ＵＥは、通信中の状態に相当するコネクティッド状態（ＲＲＣコネクティッド状態）において、サービングセルとの無線通信を行う。ＲＲＣコネクティッド状態においてサービングセルを変更する処理は、ハンドオーバと称される。
【００５５】
ＵＥは、ＭＢＭＳをサポートする。詳細には、ＵＥは、ＲＲＣアイドル状態又はＲＲＣコネクティッド状態において、ｅＮＢからＰＴＭで配信されるＭＢＭＳデータを受信することができる。
【００５６】
図２は、ＬＴＥシステムの無線インターフェイスのプロトコルスタックを示す。
【００５７】
図２に示すように、無線インターフェイスプロトコルは、ＯＳＩ参照モデルのレイヤ１〜レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５８】
物理レイヤは、データ符号化・復号、変調・復調、アンテナマッピング・デマッピング、及びリソースマッピング・デマッピングを行う。物理レイヤは、物理チャネルを用いて上位レイヤに伝送サービスを提供する。ＵＥの物理レイヤとｅＮＢの物理レイヤとの間では、物理チャネルを介してデータが伝送される。物理レイヤは、トランスポートチャネルを介してＭＡＣレイヤと連結される。
【００５９】
ＭＡＣレイヤは、データの優先制御、及びハイブリッドＡＲＱ（ＨＡＲＱ）による再送処理などを行う。ＵＥのＭＡＣレイヤとｅＮＢのＭＡＣレイヤとの間では、トランスポートチャネルを介してデータが伝送される。ｅＮＢのＭＡＣレイヤは、上下リンクのトランスポートフォーマット及びリソースブロックを決定するＭＡＣスケジューラを含む。トランスポートフォーマットは、トランスポートブロックサイズ、変調・符号化方式（ＭＣＳ）、及びアンテナマッピングを含む。
【００６０】
ＲＬＣレイヤは、ＭＡＣレイヤ及び物理レイヤの機能を利用してデータを受信側のＲＬＣレイヤに伝送する。ＵＥのＲＬＣレイヤとｅＮＢのＲＬＣレイヤとの間では、論理チャネルを介してデータが伝送される。
【００６１】
ＰＤＣＰレイヤは、ヘッダ圧縮・伸張、及び暗号化・復号化を行う。
【００６２】
ＲＲＣレイヤは、制御プレーンでのみ定義される。ＵＥのＲＲＣレイヤとｅＮＢのＲＲＣレイヤとの間では、無線ベアラを介してデータが伝送される。ＲＲＣレイヤは、無線ベアラの確立、再確立及び解放に応じて、論理チャネル、トランスポートチャネル、及び物理チャネルを制御する。ＵＥのＲＲＣとｅＮＢのＲＲＣとの間にＲＲＣコネクションがある場合、ＵＥはＲＲＣコネクティッド状態であり、そうでない場合、ＵＥはＲＲＣアイドル状態である。
【００６３】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６４】
図３は、ＬＴＥシステムで使用される無線フレームの構成を示す。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）を採用する。
【００６５】
図３に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。
【００６６】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用されるデータ領域である。
【００６７】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用されるデータ領域である。
【００６８】
（２）ＭＢＭＳの概要
ＭＢＭＳは、同報型配信を実現するベアラサービスであり、ＭＢＭＳデータの受信を望む複数のＵＥに対して、共通のベアラで一斉にＭＢＭＳデータを配信する方式である。
【００６９】
ＬＴＥシステムでは、複数のｅＮＢがＭＢＳＦＮ（ＭＢＭＳ  Ｓｉｎｇｌｅ  Ｆｒｅｑｕｅｎｃｙ  Ｎｅｔｗｏｒｋ）を構成し、ＭＢＳＦＮ送信方式によりＭＢＭＳデータを配信することができる。ＭＢＳＦＮを構成するｅＮＢは、同一信号を一斉同期送信する。これにより、ＵＥは、各ｅＮＢから送信された信号をＲＦ（Ｒａｄｉｏ  Ｆｒｅｑｕｅｎｃｙ）合成できる。
【００７０】
図４は、ｅＭＢＭＳ基盤の論理構成を示す。図４に示すように、ＬＴＥシステムは、図１に示したネットワークエンティティに加えて、ＢＭＳＣ（Ｂｒｏａｄｃａｓｔ  Ｍｕｌｔｉｃａｓｔ  Ｓｅｒｖｉｃｅ  Ｃｅｎｔｅｒ）と、ＭＢＭＳ  ＧＷ（ＭＢＭＳ  Ｇａｔｅｗａｙ）と、ＭＣＥ（Ｍｕｌｔｉ−Ｃｅｌｌ  Ｍｕｌｔｉｃａｓｔ  Ｃｏｏｒｄｉｎａｔｉｏｎ  Ｅｎｔｉｔｙ）と、を有する。
【００７１】
ＢＭＳＣは、配信すべきＭＢＭＳデータを保持する。ＭＢＭＳ  ＧＷは、ＢＭＳＣが保持するＭＢＭＳデータをＩＰ（Ｉｎｔｅｒｎｅｔ  Ｐｒｏｔｏｃｏｌ）マルチキャストで各ｅＮＢに伝送する。ＭＣＥは、ＭＢＳＦＮを構成する各ｅＮＢに対して、ＭＢＭＳデータを同期させたり、ＭＢＭＳデータのための無線リソースを指定したりする。
【００７２】
図５は、下りリンクにおける、論理チャネルとトランスポートチャネルと物理チャネルとのマッピングを示す。図５に示すように、ＬＴＥシステムには、ＭＢＭＳ用の論理チャネルとして、ＭＴＣＨ（Ｍｕｌｔｉｃａｓｔ  Ｔｒａｆｆｉｃ  Ｃｈａｎｎｅｌ）と、ＭＣＣＨ（Ｍｕｌｔｉｃａｓｔ  Ｃｏｎｔｒｏｌ  Ｃｈａｎｎｅｌ）と、が規定される。また、ＭＢＭＳ用のトランスポートチャネルとして、ＭＣＨ（Ｍｕｌｔｉｃａｓｔ  Ｃｈａｎｎｅｌ）が規定される。
【００７３】
マクロセル（ｅＮＢ）は、マルチキャストチャネル（ＭＴＣＨ及びＭＣＣＨ）を介して、ＭＢＭＳデータと、ＭＢＭＳデータ配信を制御するためのＭＢＭＳサービス情報と、をマルチキャスト配信（ＰＴＭ配信）する。
【００７４】
これに対して、ＣＳＧセル（ＨｅＮＢ）は、ＭＴＣＨ及びＭＣＣＨを使用することができない。ただし、ＣＳＧセル（ＨｅＮＢ）は、自セルとのＲＲＣコネクションを確立したＵＥに対して、例えばＤＴＣＨ（Ｄｅｄｉｃａｔｅｄ  Ｔｒａｆｆｉｃ  Ｃｈａｎｎｅｌ）及びＤＣＣＨ（Ｄｅｄｉｃａｔｅｄ  Ｃｏｎｔｒｏｌ  Ｃｈａｎｎｅｌ）等のチャネルを介して、ＭＢＭＳデータ及びＭＢＭＳサービス情報をユニキャスト配信（ＰＴＰ配信）することは可能である。
【００７５】
なお、マクロセル及びＣＳＧセルは、報知チャネル（ＢＣＣＨ；Ｂｒｏａｄｃａｓｔ  Ｃｏｎｔｒｏｌ  Ｃｈａｎｎｅｌ）を介して報知情報をブロードキャストで送信する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００７６】
（３）ｅＮＢ、ＨｅＮＢ、及びＵＥの構成
図６は、ｅＮＢのブロック図である。ＨｅＮＢは、ｅＮＢと同様のブロック構成を有するため、ここではｅＮＢ及びＨｅＮＢを代表してｅＮＢの構成を説明する。
【００７７】
図６に示すように、ｅＮＢは、アンテナ１０１と、無線送受信部１１０と、ネットワーク通信部１２０と、記憶部１３０と、制御部（プロセッサ）１４０と、を有する。
【００７８】
アンテナ１０１及び無線送受信部１１０は、無線信号の送受信に用いられる。ネットワーク通信部１２０は、Ｘ２インターフェイス上及びＳ１インターフェイス上で通信を行う。記憶部１３０は、制御部１４０による制御に使用される情報を記憶する。制御部１４０は、上述した各レイヤでの処理を行うと共に、後述する各種の制御を行う。
【００７９】
図７は、ＵＥのブロック図である。図７に示すように、ＵＥは、アンテナ２０１と、無線送受信部２１０と、ＧＰＳ（Ｇｌｏｂａｌ  Ｐｏｓｉｔｉｏｎｉｎｇ  Ｓｙｓｔｅｍ）受信部２２０と、記憶部２３０と、制御部（プロセッサ）２４０と、を有する。
【００８０】
アンテナ２０１及び無線送受信部２１０は、無線信号の送受信に用いられる。ＧＰＳ受信部２２０は、ＵＥの位置を示すＵＥ位置情報を得るために、ＧＰＳ信号を受信する。記憶部２３０は、制御部２４０による制御に使用される情報を記憶する。制御部２４０は、上述した各レイヤでの処理を行うと共に、後述する各種の制御を行う。また、制御部２４０は、ＧＰＳ受信部２２０の出力に基づいてＵＥ位置情報を取得する。ただし、ＵＥがＧＰＳ受信部２２０を有しない場合、無線送受信部２１０が受信する無線信号に基づいてＵＥ位置情報を取得してもよい。
【００８１】
また、記憶部２３０は、ＵＥがアクセス権を有するＧＳＧセルのリスト（詳細には、ＣＳＧ  ＩＤのリスト）であるホワイトリストを記憶する。また、記憶部２３０は、ＵＥがアクセス権を有するＧＳＧセルの位置を示すＧＳＧセル位置情報を記憶する。ＧＳＧセル位置情報は、ＵＥ位置情報と共に、ＵＥがアクセス権を有するＧＳＧセル（すなわち、アクセス可能なＧＳＧセル）がＵＥの近傍に存在するかを判断するためのａｕｔｏｎｏｍｏｕｓ  ｓｅａｒｃｈ  ｐｒｏｃｅｄｕｒｅに使用される。
【００８２】
（４）ｅＮＢ、ＨｅＮＢ、及びＵＥの動作
図８は、本実施形態に係るｅＮＢ及びＵＥの動作環境を示す。
【００８３】
図８に示すように、マクロセル内に、当該マクロセルとは異なる周波数で運用されるＣＳＧセル＃１が設けられており、当該マクロセルと当該ＣＳＧセル＃１との重複部分にＲＲＣアイドル状態のＵＥが位置している。なお、１つのマクロセル内に複数のＣＳＧセルが設けられていてもよい。例えば、ＣＳＧセル＃１に加えてＣＳＧセル＃２がマクロセル内に設けられていてもよい。
【００８４】
ＵＥは、当該ＣＳＧセル＃１のメンバーＵＥであり、当該ＣＳＧセル＃１に対するアクセス権を有しており、ＣＳＧセル＃１とのＲＲＣコネクションを確立している。このような状況下で、ＵＥが受信を望むＭＢＭＳデータをマクロセルが配信開始しても、ＵＥはマクロセルから当該ＭＢＭＳデータを受信することができない。
【００８５】
そこで、ＣＳＧセル＃１とのＲＲＣコネクションを確立しているＵＥは、マクロセルから配信されるＭＢＭＳデータの受信を望む旨のＭＢＭＳ興味通知をＣＳＧセル＃１に送信する。これにより、ＣＳＧセル＃１は、ＵＥが当該ＭＢＭＳデータの受信を望むことを把握できるため、ＵＥに対してＣＳＧセル＃１からマクロセルへのハンドオーバを行わせることができる。その結果、ＵＥは、マクロセルから配信されるＭＢＭＳデータをＣＳＧセル＃１に位置したまま受信できる。
【００８６】
なお、ＣＳＧセル＃１からマクロセルへのハンドオーバが完了した後においては、マクロセルからＣＳＧセル＃１へのハンドオーバを防止するよう制御する。これにより、ＵＥは、マクロセルから配信されるＭＢＭＳデータを継続的に受信できる。後述する動作パターン１〜６は、マクロセルからＣＳＧセル＃１へのハンドオーバを防止するための制御方法が異なる。
【００８７】
また、ＵＥは、ＣＳＧセル＃１からマクロセルへのハンドオーバが完了した後、マクロセルから配信されるＭＢＭＳデータの受信をもはや望まない場合に、その旨のＭＢＭＳ非興味通知をマクロセルに送信する。これにより、マクロセルは、ＵＥがＭＢＭＳデータの受信をもはや望まないことを把握できるため、ＵＥがマクロセルからＣＳＧセル＃１へハンドオーバ可能な状態にすることができる。
【００８８】
図９Ａは、ＭＢＭＳ興味通知の具体例１を示し、図９Ｂは、ＭＢＭＳ非興味通知の具体例１を示す。具体例１においては、ＭＢＭＳ興味通知及びＭＢＭＳ非興味通知で共通のメッセージフォーマットを使用する。
【００８９】
図９Ａに示すように、ＵＥは、ＭＢＭＳデータの受信を望む場合に、ＭＢＭＳデータの受信を望むことを示す情報をＭＢＭＳＩｎｔｅｒｅｓｔＩｎｄｉｃａｔｉｏｎメッセージに含めてサービングセルに送信する。さらに、ＵＥは、ＭＢＭＳデータを配信するセルの周波数を示す情報、又は当該セルの識別子（セルＩＤ）のうち、少なくとも一方をＭＢＭＳＩｎｔｅｒｅｓｔＩｎｄｉｃａｔｉｏｎメッセージに含める。ＭＢＭＳデータを配信するセルの周波数を示す情報とは、例えばＭＢＭＳ対応周波数を示す情報である。
【００９０】
図９Ｂに示すように、ＵＥは、ＭＢＭＳデータの受信をもはや望まない場合に、ＭＢＭＳデータの受信をもはや望まないことを示す情報をＭＢＭＳＩｎｔｅｒｅｓｔＩｎｄｉｃａｔｉｏｎメッセージに含めてサービングセルに送信する。
【００９１】
図１０Ａは、ＭＢＭＳ興味通知の具体例２を示し、図１０Ｂは、ＭＢＭＳ非興味通知の具体例２を示す。具体例２においては、ＭＢＭＳ興味通知及びＭＢＭＳ非興味通知で異なるメッセージフォーマットを使用する。
【００９２】
図１０Ａに示すように、ＵＥは、ＭＢＭＳデータの受信を望む場合に、ＭＢＭＳデータの受信を望むことを示すＭＢＭＳＩｎｔｅｒｅｓｔＩｎｄｉｃａｔｉｏｎメッセージをサービングセルに送信する。さらに、ＵＥは、ＭＢＭＳデータを配信するセルの周波数を示す情報、又は当該セルの識別子（セルＩＤ）のうち、少なくとも一方をＭＢＭＳＩｎｔｅｒｅｓｔＩｎｄｉｃａｔｉｏｎメッセージに含める。ＭＢＭＳデータを配信するセルの周波数を示す情報とは、例えばＭＢＭＳ対応周波数を示す情報である。
【００９３】
図１０Ｂに示すように、ＵＥは、ＭＢＭＳデータの受信をもはや望まない場合に、ＭＢＭＳデータの受信をもはや望まないことを示すＭＢＭＳ  ｎｏ  ｌｏｎｇｅｒ  ｉｎｔｅｒｅｓｔｅｄメッセージをサービングセルに送信する。
【００９４】
（４．１）動作パターン１
図１１は、図８に示す動作環境における動作パターン１を示すシーケンス図である。
【００９５】
図１１に示すように、ステップＳ１０１において、ＵＥは、ＣＳＧセル＃１（ＨｅＮＢ＃１）とのＲＲＣコネクションを確立した状態（ＲＲＣコネクティッド状態）である。
【００９６】
ステップＳ１０２において、ＵＥは、ＭＢＭＳサービス情報をＣＳＧセル＃１（ＨｅＮＢ＃１）から受信することによって、受信を望むＭＢＭＳデータをマクロセルが配信開始することを検知する。あるいは、ＵＥは、ＭＢＭＳサービス情報をマクロセル（ｅＮＢ）から受信することによって、受信を望むＭＢＭＳデータをマクロセルが配信開始することを検知する。また、ＵＥは、ＭＢＭＳサービス情報に基づいて、ＭＢＭＳ対応周波数（及び／又はマクロセルのセルＩＤ）を検知する。
【００９７】
ステップＳ１０３において、ＵＥは、ＭＢＭＳ興味通知をＣＳＧセル＃１（ＨｅＮＢ＃１）に送信する。上述したように、ＭＢＭＳ興味通知は、ＭＢＭＳ対応周波数（及び／又はマクロセルのセルＩＤ）を含む。
【００９８】
ステップＳ１０４において、ＣＳＧセル＃１（ＨｅＮＢ＃１）は、ＵＥからのＭＢＭＳ興味通知に基づいて、ＵＥが当該ＭＢＭＳデータの受信を望むこと、及び、ＭＢＭＳ対応周波数（及び／又はマクロセルのセルＩＤ）を把握する。
【００９９】
ステップＳ１０５において、ＣＳＧセル＃１（ＨｅＮＢ＃１）は、ＭＢＭＳ対応周波数（及び／又はマクロセルのセルＩＤ）に対する測定を指示する測定構成情報をＵＥに送信する。当該測定は、参照信号受信電力（ＲＳＲＰ）の測定及び／又は参照信号受信品質（ＲＳＲＱ）の測定を含む。また、測定構成情報は、ＭＢＭＳ対応周波数（及び／又はマクロセルのセルＩＤ）に対する受信品質測定のための測定ギャップの情報を含む。
【０１００】
ステップＳ１０６において、ＵＥは、ＣＳＧセル＃１（ＨｅＮＢ＃１）からの測定構成情報に基づいて、ＭＢＭＳ対応周波数（及び／又はマクロセルのセルＩＤ）に対する測定を行う。
【０１０１】
ステップＳ１０７において、ＵＥは、ＭＢＭＳ対応周波数（及び／又はマクロセルのセルＩＤ）に対する測定結果の情報を含む測定報告をＣＳＧセル＃１（ＨｅＮＢ＃１）に送信する。
【０１０２】
ステップＳ１０８において、ＣＳＧセル＃１（ＨｅＮＢ＃１）は、ＵＥからの測定報告に基づいて、マクロセル（ｅＮＢ）へのハンドオーバを行うか否かを判断する。以下においては、マクロセル（ｅＮＢ）へのハンドオーバを行うと判断したケースを想定して説明を進める。
【０１０３】
ステップＳ１０９において、ＣＳＧセル＃１（ＨｅＮＢ＃１）は、ネットワークインターフェイスを介して、マクロセル（ｅＮＢ）へのハンドオーバを要求するハンドオーバ要求をマクロセル（ｅＮＢ）に送信する。ハンドオーバ要求は、ＣＳＧセル＃１（ＨｅＮＢ＃１）からＭＭＥ経由でマクロセル（ｅＮＢ）に送信されてもよい。
【０１０４】
ＣＳＧセル＃１（ＨｅＮＢ＃１）は、ネットワークインターフェイスを介してハンドオーバ要求をマクロセル（ｅＮＢ）に送信する際に、ハンドオーバを行う理由（すなわち、ＵＥがＭＢＭＳデータの受信を望むこと）を示すハンドオーバ理由をマクロセル（ｅＮＢ）に通知する。当該ハンドオーバ理由は、ハンドオーバ要求に含まれる情報要素としてもよい。
【０１０５】
ステップＳ１１０において、マクロセル（ｅＮＢ）は、ＣＳＧセル＃１（ＨｅＮＢ＃１）からのハンドオーバ要求に基づいて、当該ハンドオーバ要求を承認するか否かを判断する。マクロセル（ｅＮＢ）は、当該ハンドオーバ要求を承認すると判断した場合に、ＣＳＧセル＃１（ＨｅＮＢ＃１）からのハンドオーバ理由を記憶する。
【０１０６】
以下においては、当該ハンドオーバ要求を承認すると判断したケースを想定して説明を進める。
【０１０７】
ステップＳ１１１において、マクロセル（ｅＮＢ）は、ネットワークインターフェイスを介して、ハンドオーバ要求に対する肯定応答をＣＳＧセル＃１（ＨｅＮＢ＃１）に送信する。当該肯定応答は、マクロセル（ｅＮＢ）からＭＭＥ経由でＣＳＧセル＃１（ＨｅＮＢ＃１）に送信されてもよい。
【０１０８】
ステップＳ１１２において、ＣＳＧセル＃１（ＨｅＮＢ＃１）は、マクロセル（ｅＮＢ）からの肯定応答の受信に応じて、マクロセル（ｅＮＢ）へのハンドオーバのためのＲＲＣコネクション再構成メッセージをＵＥに送信する。当該ＲＲＣコネクション再構成メッセージは、マクロセル（ｅＮＢ）へのハンドオーバ指示に相当する。
【０１０９】
ステップＳ１１３において、ＵＥは、マクロセル（ｅＮＢ）とのＲＲＣコネクションを確立するための接続処理を行う。接続処理は、ランダムアクセス手順及びＲＲＣコネクション確立手順を含む。
【０１１０】
ステップＳ１１４において、ＵＥは、マクロセル（ｅＮＢ）からＰＴＭで配信されるＭＢＭＳデータを受信する。
【０１１１】
ステップＳ１１５において、ＵＥは、依然としてＣＳＧセル＃１に位置していることから、上述したａｕｔｏｎｏｍｏｕｓ  ｓｅａｒｃｈ  ｐｒｏｃｅｄｕｒｅを用いて、アクセス可能なＣＳＧセルがＵＥの近傍に存在することを示す近傍通知をマクロセル（ｅＮＢ）に送信する。
【０１１２】
ステップＳ１１６において、マクロセル（ｅＮＢ）は、ステップＳ１０９でＣＳＧセル＃１（ＨｅＮＢ＃１）から通知されたハンドオーバ理由により、ＵＥがＭＢＭＳデータの受信を望むことを把握しているため、ＵＥからの近傍通知を受信しても当該近傍通知を無視する。
【０１１３】
このように、動作パターン１においては、マクロセル（ｅＮＢ）は、アクセス可能なＣＳＧセルがＵＥの近傍に存在することを示す近傍通知をＵＥから受信しても、ＣＳＧセル＃１（ＨｅＮＢ＃１）から通知されたハンドオーバ理由が、ＵＥがＭＢＭＳデータの受信を望むという理由である場合には、当該近傍通知を無視する。これにより、ＵＥがマクロセル（ｅＮＢ）からＭＢＭＳデータを受信する場合において、ＵＥがＣＳＧセル＃１（ＨｅＮＢ＃１）へのハンドオーバを行うことを防止できるため、ＵＥはＭＢＭＳデータを継続的に受信できる。
【０１１４】
（４．２）動作パターン２
図１２は、図８に示す動作環境における動作パターン２を示すシーケンス図である。ここでは、上述した動作パターン１とは異なる動作を説明し、重複する説明を省略する。
【０１１５】
図１２に示すように、ステップＳ２０１〜ステップＳ２１１は、上述した動作パターン１と同じである。
【０１１６】
ステップＳ２１２において、ＣＳＧセル＃１（ＨｅＮＢ＃１）は、マクロセル（ｅＮＢ）からの肯定応答の受信に応じて、マクロセル（ｅＮＢ）へのハンドオーバのためのＲＲＣコネクション再構成メッセージをＵＥに送信する。当該ＲＲＣコネクション再構成メッセージは、マクロセル（ｅＮＢ）へのハンドオーバ指示に相当する。
【０１１７】
ここで、ＣＳＧセル＃１（ＨｅＮＢ＃１）は、ＵＥが近傍通知を送信するための近傍通知設定情報（ＲｅｐｏｒｔＰｒｏｘｉｍｉｔｙＣｏｎｆｉｇ）をＲＲＣコネクション再構成メッセージと共にＵＥに送信する。近傍通知設定情報は、近傍通知の対象から除外すべきセルとしてＣＳＧセル＃１を指定するための情報（例えば、ＣＳＧセル＃１のセルＩＤ）を含む。ＵＥは、近傍通知設定情報を受信すると、近傍通知の対象から除外すべきセルとしてＣＳＧセル＃１を記憶する。
【０１１８】
ステップＳ２１３において、ＵＥは、マクロセル（ｅＮＢ）とのＲＲＣコネクションを確立するための接続処理を行う。接続処理は、ランダムアクセス手順及びＲＲＣコネクション確立手順を含む。
【０１１９】
ステップＳ２１４において、ＵＥは、マクロセル（ｅＮＢ）からＰＴＭで配信されるＭＢＭＳデータを受信する。
【０１２０】
ＵＥは、依然としてＣＳＧセル＃１に位置しているものの、近傍通知の対象から除外すべきセルとしてＣＳＧセル＃１を記憶していることから、上述したａｕｔｏｎｏｍｏｕｓ  ｓｅａｒｃｈ  ｐｒｏｃｅｄｕｒｅの対象からＣＳＧセル＃１を除外して、ＣＳＧセル＃１についての近傍通知をマクロセル（ｅＮＢ）に送信しない。ただし、ＣＳＧセル＃１以外にアクセス可能なＣＳＧセル（ＣＳＧセル＃２）が近傍に存在する場合には、ＣＳＧセル＃２についての近傍通知をマクロセル（ｅＮＢ）に送信することができる。
【０１２１】
このように、動作パターン２においては、ＣＳＧセル＃１（ＨｅＮＢ＃１）は、近傍通知設定情報（ＲｅｐｏｒｔＰｒｏｘｉｍｉｔｙＣｏｎｆｉｇ）により、近傍通知の対象から除外すべきセルとしてのＣＳＧセル＃１をＵＥに通知する。これにより、ＵＥがマクロセル（ｅＮＢ）からＭＢＭＳデータを受信する場合において、ＵＥがＣＳＧセル＃１（ＨｅＮＢ＃１）へのハンドオーバを行うことを防止できるため、ＵＥはＭＢＭＳデータを継続的に受信できる。
【０１２２】
（４．３）動作パターン３
図１３は、図８に示す動作環境における動作パターン３を示すシーケンス図である。ここでは、上述した動作パターン１とは異なる動作を説明し、重複する説明を省略する。
【０１２３】
図１３に示すように、ステップＳ３０１〜ステップＳ３１３は、上述した動作パターン１と同じである。すなわち、マクロセル（ｅＮＢ）は、ハンドオーバ手順においてＣＳＧセル＃１（ＨｅＮＢ＃１）から通知されたハンドオーバ理由により、ＵＥがＭＢＭＳデータの受信を望むことを把握している。
【０１２４】
ハンドオーバ手順完了後のステップＳ３１４において、マクロセル（ｅＮＢ）は、ＣＳＧセル＃１（ＨｅＮＢ＃１）から通知されたハンドオーバ理由に基づいて、ＲＲＣコネクション再構成メッセージと共に近傍通知設定情報をＵＥに送信する。近傍通知設定情報は、近傍通知の対象から除外すべきセルとしてＣＳＧセル＃１を指定するための情報（例えば、ＣＳＧセル＃１のセルＩＤ）を含む。ＵＥは、近傍通知設定情報を受信すると、近傍通知の対象から除外すべきセルとしてＣＳＧセル＃１を記憶する。
【０１２５】
ステップＳ３１５において、ＵＥは、マクロセル（ｅＮＢ）からＰＴＭで配信されるＭＢＭＳデータを受信する。
【０１２６】
ＵＥは、依然としてＣＳＧセル＃１に位置しているものの、近傍通知の対象から除外すべきセルとしてＣＳＧセル＃１を記憶していることから、上述したａｕｔｏｎｏｍｏｕｓ  ｓｅａｒｃｈ  ｐｒｏｃｅｄｕｒｅの対象からＣＳＧセル＃１を除外して、ＣＳＧセル＃１についての近傍通知をマクロセル（ｅＮＢ）に送信しない。ただし、ＣＳＧセル＃１以外にアクセス可能なＣＳＧセル（ＣＳＧセル＃２）が近傍に存在する場合には、ＣＳＧセル＃２についての近傍通知をマクロセル（ｅＮＢ）に送信することができる。
【０１２７】
このように、動作パターン３においては、マクロセル（ｅＮＢ）は、近傍通知設定情報（ＲｅｐｏｒｔＰｒｏｘｉｍｉｔｙＣｏｎｆｉｇ）により、近傍通知の対象から除外すべきセルとしてのＣＳＧセル＃１をＵＥに通知する。これにより、ＵＥがマクロセル（ｅＮＢ）からＭＢＭＳデータを受信する場合において、ＵＥがＣＳＧセル＃１（ＨｅＮＢ＃１）へのハンドオーバを行うことを防止できるため、ＵＥはＭＢＭＳデータを継続的に受信できる。
【０１２８】
（４．４）動作パターン４
図１４は、図８に示す動作環境における動作パターン４を示すシーケンス図である。ここでは、上述した動作パターン１とは異なる動作を説明し、重複する説明を省略する。
【０１２９】
図１４に示すように、ステップＳ４０１〜ステップＳ４１１は、上述した動作パターン１と同じである。
【０１３０】
ステップＳ４１２において、ＣＳＧセル＃１（ＨｅＮＢ＃１）は、マクロセル（ｅＮＢ）からの肯定応答の受信に応じて、マクロセル（ｅＮＢ）へのハンドオーバのためのＲＲＣコネクション再構成メッセージをＵＥに送信する。当該ＲＲＣコネクション再構成メッセージは、マクロセル（ｅＮＢ）へのハンドオーバ指示に相当する。
【０１３１】
ここで、ＣＳＧセル＃１（ＨｅＮＢ＃１）は、ＵＥが近傍通知を送信するための近傍通知設定情報（ＲｅｐｏｒｔＰｒｏｘｉｍｉｔｙＣｏｎｆｉｇ）をＲＲＣコネクション再構成メッセージに含めない。これにより、ＵＥは、上述したａｕｔｏｎｏｍｏｕｓ  ｓｅａｒｃｈ  ｐｒｏｃｅｄｕｒｅを実行しないようになる。
【０１３２】
ステップＳ４１３において、ＵＥは、マクロセル（ｅＮＢ）とのＲＲＣコネクションを確立するための接続処理を行う。接続処理は、ランダムアクセス手順及びＲＲＣコネクション確立手順を含む。
【０１３３】
ステップＳ４１４において、ＵＥは、マクロセル（ｅＮＢ）からＰＴＭで配信されるＭＢＭＳデータを受信する。
【０１３４】
ＵＥは、依然としてＣＳＧセル＃１に位置しているものの、ａｕｔｏｎｏｍｏｕｓ  ｓｅａｒｃｈ  ｐｒｏｃｅｄｕｒｅを実行しないよう設定されていることから、近傍通知をマクロセル（ｅＮＢ）に送信しない。
【０１３５】
このように、動作パターン４においては、ＣＳＧセル＃１（ＨｅＮＢ＃１）は、ＵＥが近傍通知を送信するための近傍通知設定情報（ＲｅｐｏｒｔＰｒｏｘｉｍｉｔｙＣｏｎｆｉｇ）をＵＥに対して送信しないようにする。これにより、ＵＥがマクロセル（ｅＮＢ）からＭＢＭＳデータを受信する場合において、ＵＥがＣＳＧセル＃１（ＨｅＮＢ＃１）へのハンドオーバを行うことを防止できるため、ＵＥはＭＢＭＳデータを継続的に受信できる。
【０１３６】
（４．５）動作パターン５
図１５は、図８に示す動作環境における動作パターン５を示すシーケンス図である。ここでは、上述した動作パターン１とは異なる動作を説明し、重複する説明を省略する。
【０１３７】
図１５に示すように、ステップＳ５０１〜ステップＳ５１３は、上述した動作パターン１と同じである。すなわち、マクロセル（ｅＮＢ）は、ハンドオーバ手順においてＣＳＧセル＃１（ＨｅＮＢ＃１）から通知されたハンドオーバ理由により、ＵＥがＭＢＭＳデータの受信を望むことを把握している。
【０１３８】
ハンドオーバ手順完了後のステップＳ５１４において、マクロセル（ｅＮＢ）は、ＣＳＧセル＃１（ＨｅＮＢ＃１）から通知されたハンドオーバ理由に基づいて、ＵＥが近傍通知を送信するための近傍通知設定情報（ＲｅｐｏｒｔＰｒｏｘｉｍｉｔｙＣｏｎｆｉｇ）を含まないＲＲＣコネクション再構成メッセージをＵＥに送信する。これにより、ＵＥは、上述したａｕｔｏｎｏｍｏｕｓ  ｓｅａｒｃｈ  ｐｒｏｃｅｄｕｒｅを実行しないようになる。
【０１３９】
ステップＳ５１５において、ＵＥは、マクロセル（ｅＮＢ）からＰＴＭで配信されるＭＢＭＳデータを受信する。
【０１４０】
ＵＥは、依然としてＣＳＧセル＃１に位置しているものの、ａｕｔｏｎｏｍｏｕｓ  ｓｅａｒｃｈ  ｐｒｏｃｅｄｕｒｅを実行しないよう設定されていることから、近傍通知をマクロセル（ｅＮＢ）に送信しない。
【０１４１】
このように、動作パターン５においては、マクロセル（ｅＮＢ）は、近傍通知設定情報（ＲｅｐｏｒｔＰｒｏｘｉｍｉｔｙＣｏｎｆｉｇ）を含まないＲＲＣコネクション再構成メッセージをＵＥに送信する。これにより、ＵＥがマクロセル（ｅＮＢ）からＭＢＭＳデータを受信する場合において、ＵＥがＣＳＧセル＃１（ＨｅＮＢ＃１）へのハンドオーバを行うことを防止できるため、ＵＥはＭＢＭＳデータを継続的に受信できる。
【０１４２】
（４．６）動作パターン６
上述した動作パターン１〜６は、ＣＳＧセル＃１（ＨｅＮＢ＃１）又はマクロセル（ｅＮＢ）主導で、ＵＥがＣＳＧセル＃１（ＨｅＮＢ＃１）へのハンドオーバを行うことを防止していた。しかしながら、ＵＥ主導で、ＵＥがＣＳＧセル＃１（ＨｅＮＢ＃１）へのハンドオーバを行うことを防止してもよい。
【０１４３】
動作パターン６においては、ＵＥは、ＭＢＭＳ興味通知を送信した後に、近傍通知設定情報（ＲｅｐｏｒｔＰｒｏｘｉｍｉｔｙＣｏｎｆｉｇ）をＣＳＧセル又はマクロセルから受信した場合、ＣＳＧセル＃１を近傍通知の対象から除外する。これにより、ＵＥがマクロセル（ｅＮＢ）からＭＢＭＳデータを受信する場合において、ＵＥがＣＳＧセル＃１（ＨｅＮＢ＃１）へのハンドオーバを行うことを防止できるため、ＵＥはＭＢＭＳデータを継続的に受信できる。
【０１４４】
（まとめ）
ＣＳＧセルがＵＥをＭＢＭＳ対応セル（マクロセル）にハンドオーバする必要があるか否かを判断するために、ＵＥは、ＭＢＭＳサービスへの自身の興味を知らせるためのＭＢＭＳＩｎｔｅｒｅｓｔＩｎｄｉｃａｔｉｏｎをＣＳＧセルに送信する。ＣＳＧセルからのアウトバウンドモビリティを適切に扱うために、ＣＳＧセルがＭＢＭＳＩｎｔｅｒｅｓｔＩｎｄｉｃａｔｉｏｎをサポートすることが重要である。また、セル間でのピンポンハンドオーバを回避するために、ＵＥがＣＳＧセルに戻ることを回避する仕組みが重要である。
【０１４５】
ＣＳＧセルがＭＢＭＳＩｎｔｅｒｅｓｔＩｎｄｉｃａｔｉｏｎの受信をサポートする場合、ＭＢＭＳの良好なユーザエクスペリエンスを実現するための補助を提供すべきである。図１６に示すように、ＣＳＧセルは、ＵＥからＭＢＭＳＩｎｔｅｒｅｓｔＩｎｄｉｃａｔｉｏｎを受信し、興味のあるＭＢＭＳサービスを配信するマクロセルへＵＥをハンドオーバする。ハンドオーバが完了した後、マクロセル配下のＵＥは、自身が要求したＭＢＭＳサービスの受信を開始する。ＵＥは自身の位置を変更していないため、依然としてＣＳＧセルのカバレッジ内にある。ＵＥは、ＣＳＧセルへの自身の近接をネットワークに知らせるために、ＰｒｏｘｉｍｉｔｙＩｎｄｉｃａｔｉｏｎメッセージをマクロセルに送信し得る。現状では、ＰｒｏｘｉｍｉｔｙＩｎｄｉｃａｔｉｏｎメッセージの送信判断は、ＵＥの実装依存である。実装及びタイミングに依存して、マクロセルは、ＰｒｏｘｉｍｉｔｙＩｎｄｉｃａｔｉｏｎメッセージを受信した際にＵＥのＭＢＭＳへの興味を知らされていないかもしれない。図１７に示すように、マクロセルは、ハンドオーバ判断を行う前にＰｒｏｘｉｍｉｔｙＩｎｄｉｃａｔｉｏｎメッセージのみを受信する場合に、ＵＥをＣＳＧセルに戻すようハンドオーバする可能性がある。その結果、ＣＳＧセルとマクロセルとの間のピンポンハンドオーバを引き起こす。ＣＳＧセルとマクロセルとの間のピンポンハンドオーバを防止するために、マクロセルは、ＵＥのＭＢＭＳへの興味をタイムリーに知らされるべきである。
【０１４６】
選択肢１：図１８に示すように、ＣＳＧセルがＭＢＭＳＩｎｔｅｒｅｓｔＩｎｄｉｃａｔｉｏｎの受信が可能である場合、ハンドオーバ準備の際にＣＳＧセルはＵＥのＭＢＭＳコンテキストをターゲットｅＮＢに転送する。
【０１４７】
ＭＢＭＳコンテキスト転送情報によれば、マクロセルは、ＵＥのＭＢＭＳ興味をよく理解し、ＣＳＧセルからのハンドオーバ要求により始動される。選択肢１によれば、マクロセルは、ＵＥによるＰｒｏｘｉｍｉｔｙＩｎｄｉｃａｔｉｏｎメッセージを受信して、（ＣＳＧセルがマクロセルとは異なる周波数である場合は周波数間測定をＵＥに設定した後、）ＣＳＧセルの測定報告を受信した場合に、ＵＥのＭＢＭＳ興味及びネットワークの負荷状況を考慮せずにＵＥをＣＳＧセルにハンドオーバしないようにすることができる。ＣＳＧセルがＭＢＭＳＩｎｔｅｒｅｓｔＩｎｄｉｃａｔｉｏｎの受信に対応している場合、かかる選択肢が適切である。このように、ＣＳＧセルがＭＢＭＳＩｎｔｅｒｅｓｔＩｎｄｉｃａｔｉｏｎの受信をサポートしている場合において、ＭＢＭＳの受信に興味のあるＣＳＧ配下ＵＥがマクロセルにハンドオーバする場合、ＣＳＧセルがＵＥのＭＢＭＳ  Ｉｎｔｅｒｅｓｔ  ＣｏｎｔｅｘｔをマクロｅＮＢへ転送する。
【０１４８】
選択肢２：図１９に示すように、ＵＥは、ハンドオーバ元がＣＳＧセルである場合に、ＰｒｏｘｉｍｉｔｙＩｎｄｉｃａｔｉｏｎを送信する前においてＭＢＭＳ興味を知らせる。
【０１４９】
現状では、ＭＢＭＳＩｎｔｅｒｅｓｔＩｎｄｉｃａｔｉｏｎメッセージ及びＰｒｏｘｉｍｉｔｙＩｎｄｉｃａｔｉｏｎメッセージの送信はＵＥの実装依存である。選択肢２によれば、ＰｒｏｘｉｍｉｔｙＩｎｄｉｃａｔｉｏｎを送信する前にＭＢＭＳ興味を知らせる限りは、ＭＢＭＳ情報のコンテキスト転送は必要とされない。かかる選択肢は、ＣＳＧセルがＭＢＭＳＩｎｔｅｒｅｓｔＩｎｄｉｃａｔｉｏｎをサポートするか否かにかかわらず有効である。
【０１５０】
提案１：ＭＢＭＳＩｎｔｅｒｅｓｔＩｎｄｉｃａｔｉｏｎの受信をサポートするＣＳＧセルは、ＭＢＭＳコンテキスト転送もサポートすべきである。そうでなければ、ＵＥは、ハンドオーバ元がＣＳＧセルである場合に、ＰｒｏｘｉｍｉｔｙＩｎｄｉｃａｔｉｏｎを送信する前においてＭＢＭＳ興味を知らせるべきである。上述した２つの選択肢は、ＣＳＧセルとマクロセルとの間のピンポンハンドオーバを抑制し、ＭＢＭＳサービスの継続性をサポートするのに役立つ。
【０１５１】
ＣＳＧセル配下のＵＥは、非ＣＳＧセル配下のＵＥと同様の手法で、サービングＣＳＧセルがＭＢＭＳＩｎｔｅｒｅｓｔＩｎｄｉｃａｔｉｏｎをサポートするか否かを把握する必要がある。
【０１５２】
提案２：サービングセルがＭＢＭＳＩｎｔｅｒｅｓｔＩｎｄｉｃａｔｉｏｎをサポートするかをＵＥで把握する手順がＣＳＧセル及び非ＣＳＧセルについて適用されるべきである。
【０１５３】
［その他の実施形態］
この開示の一部をなす論述及び図面はこの発明を限定するものであると理解すべきではない。この開示から当業者には様々な代替実施形態、実施例及び運用技術が明らかとなる。
【０１５４】
例えば、上述した実施形態では、マクロセル（ｅＮＢ）は、ハンドオーバ理由をハンドオーバ手順においてＣＳＧセル＃１（ＨｅＮＢ＃１）から通知されることで、ＵＥがＭＢＭＳデータの受信を望むことを把握していた。しかしながら、ＵＥがマクロセルに接続後、改めてＭＢＭＳＩｎｔｅｒｅｓｔＩｎｄｉｃａｔｉｏｎ（ＭＢＭＳ興味通知）をマクロセルに送信することにより、ＵＥがＭＢＭＳデータの受信を望むことを把握してもよい。
【０１５５】
上述した実施形態では、一般セルがマクロセルであり、特定セルがＣＳＧセルである一例を説明したが、一般セルはマクロセルよりも小型のピコセルなどであってもよい。また、特定セルはハイブリッドセルであってもよい。ハイブリッドセルは、ＣＳＧに属するＵＥからはＣＳＧセルとみなされ、ＣＳＧに属さないＵＥからはオープンなセルとみなされる。よって、ハイブリッドセルは、ＣＳＧセルの一種とみなすこともできる。
【０１５６】
さらに、上述した実施形態では、ＬＴＥシステムを例に説明したが、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの他の通信規格に対して本発明を適用してもよい。
【０１５７】
なお、米国仮出願第６１／５９１４５２号（２０１２年１月２７日出願）、米国仮出願第６１／６４５９９７号（２０１２年５月１１日出願）、の全内容が、参照により、本願明細書に組み込まれている。
【図１】
2013111905.tif 000003
【図２】
2013111905.tif 000004
【図３】
2013111905.tif 000005
【図４】
2013111905.tif 000006
【図５】
2013111905.tif 000007
【図６】
2013111905.tif 000008
【図７】
2013111905.tif 000009
【図８】
2013111905.tif 000010
【図９】
2013111905.tif 000011
【図１０】
2013111905.tif 000012
【図１１】
2013111905.tif 000013
【図１２】
2013111905.tif 000014
【図１３】
2013111905.tif 000015
【図１４】
2013111905.tif 000016
【図１５】
2013111905.tif 000017
【図１６】
2013111905.tif 000018
【図１７】
2013111905.tif 000019
【図１８】
2013111905.tif 000020
【図１９】
2013111905.tif 000021
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムであって、
前記非ＭＢＭＳセルとの接続を確立するユーザ端末を有し、
前記ユーザ端末は、
前記ＭＢＭＳデータの受信を望む場合に、前記ユーザ端末がＭＢＭＳデータの受信を望む周波数を示す周波数情報を含むＭＢＭＳ興味通知を前記非ＭＢＭＳセルに送信し、
前記非ＭＢＭＳセルから前記ＭＢＭＳセルへのハンドオーバを行った後において、前記ＭＢＭＳデータの受信をもはや望まない場合に、前記周波数情報を含まないＭＢＭＳ興味通知を前記ＭＢＭＳセルに送信する、
ことを特徴とする移動通信システム。
【請求項２】
前記ユーザ端末は、
前記ハンドオーバを行うよりも前において、前記非ＭＢＭＳセルからＭＢＭＳサービス情報を受信し、
前記ＭＢＭＳサービス情報に基づいて、前記ユーザ端末が受信を望むＭＢＭＳデータを配信する周波数を判断する、
ことを特徴とする請求項１に記載の移動通信システム。
【請求項３】
ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムにおけるユーザ端末であって、
前記非ＭＢＭＳセルとの接続を確立している場合において、前記ＭＢＭＳデータの受信を望む場合に、前記ユーザ端末がＭＢＭＳデータの受信を望む周波数を示す周波数情報を含むＭＢＭＳ興味通知を前記非ＭＢＭＳセルに送信し、
前記非ＭＢＭＳセルから前記ＭＢＭＳセルへのハンドオーバを行った後において、前記ＭＢＭＳデータの受信をもはや望まない場合に、前記周波数情報を含まないＭＢＭＳ興味通知を前記ＭＢＭＳセルに送信する、
ことを特徴とするユーザ端末。
【請求項４】
前記ハンドオーバを行うよりも前において、前記非ＭＢＭＳセルからＭＢＭＳサービス情報を受信し、
前記ＭＢＭＳサービス情報に基づいて、前記ユーザ端末が受信を望むＭＢＭＳデータを配信する周波数を判断する、
ことを特徴とする請求項３に記載のユーザ端末。
【請求項５】
ＭＢＭＳデータのＰＴＭ配信をサポートするＭＢＭＳセルと、前記ＭＢＭＳデータのＰＴＭ配信をサポートしない非ＭＢＭＳセルと、を含む移動通信システムにおけるユーザ端末に備えられるプロセッサであって、
前記非ＭＢＭＳセルとの接続を確立している場合において、前記ＭＢＭＳデータの受信を望む場合に、前記ユーザ端末がＭＢＭＳデータの受信を望む周波数を示す周波数情報を含むＭＢＭＳ興味通知を前記非ＭＢＭＳセルに送信し、
前記非ＭＢＭＳセルから前記ＭＢＭＳセルへのハンドオーバを行った後において、前記ＭＢＭＳデータの受信をもはや望まない場合に、前記周波数情報を含まないＭＢＭＳ興味通知を前記ＭＢＭＳセルに送信する処理を行う、
ことを特徴とするプロセッサ。
【請求項６】
前記ハンドオーバを行うよりも前において、前記非ＭＢＭＳセルからＭＢＭＳサービス情報を受信し、
前記ＭＢＭＳサービス情報に基づいて、前記ユーザ端末が受信を望むＭＢＭＳデータを配信する周波数を判断する、
ことを特徴とする請求項５に記載のプロセッサ。
【国際調査報告】
2013111905.tif 000022
2013111905.tif 000023
2013111905.tif 000024
2013111905.tif 000025
2013111905.tif 000026
2013111905.tif 000027
2013111905.tif 000028
2013111905.tif 000029